(57)【要約】【課題】本発明は、リード線に中空保持される圧電振動子を有する圧電デバイスについて、その低背化を図ることを目的とする。【解決手段】本発明は、第１、第２の電極１１Ａ、１１Ｂを有する圧電振動子１１と、第１の電極１１Ａにその一端が接続され圧電振動子１１を中空保持する第１のリード線１２Ａと、第２の電極１１Ｂにその一端が接続され圧電振動子１１を中空保持する第２のリード線１２Ｂと、第１、第２のリード線１２Ａ、１２Ｂの他端が載置された面１３とを備え、圧電振動子１１における第１の電極１１Ａの配置場所が第２の電極１１Ｂの配置場所と比較して第１のリード線１２Ａの他端から離れており、圧電振動子１１における第２の電極１１Ｂの配置場所が第１の電極１１Ａの配置場所と比較して第２のリード線１２Ｂの他端から離れている圧電デバイスとしたものである。【選択図】図１
2011160387.tif 000002
【特許請求の範囲】
【請求項１】
第１、第２の電極を有する圧電振動子と、
前記第１の電極にその一端が接続され前記圧電振動子を中空保持する第１のリード線と、
前記第２の電極にその一端が接続され前記圧電振動子を中空保持する第２のリード線と、
前記第１、第２のリード線の他端が載置された面とを備え、
前記圧電振動子における前記第１の電極の配置場所が
前記第２の電極の配置場所と比較して前記第１のリード線の他端から離れており、
前記圧電振動子における前記第２の電極の配置場所が
前記第１の電極の配置場所と比較して前記第２のリード線の他端から離れている、
圧電デバイス。
【発明の詳細な説明】
【技術分野】
【０００１】
本発明は、自動車、航空機、船舶、ロボット、その他各種電子機器等に用いられる圧電デバイスに関するものである。
【背景技術】
【０００２】
従来この種の圧電デバイスは、図４に示すごとく、第１の電極１Ａと、第２の電極１Ｂを有する圧電振動子１と、前記第１の電極１Ａにその一端が接続され前記圧電振動子１を中空保持する第１のリード線２Ａと、前記第２の電極１Ｂにその一端が接続され前記圧電振動子１を中空保持する第２のリード線２Ｂと、を備えた構成としていた。
【０００３】
このような構成とすることにより、リード線２Ａ、２Ｂが、圧電振動子１に対する電気信号の伝達という役割を果たすとともに、可撓性部材としての役割を果たしていた。即ち、外部からのノイズが圧電振動子１に伝達されることを抑制し、また圧電振動子１からの漏れ振動が外部へ伝達されることを抑制していた。
【０００４】
なお、この出願に関する先行技術文献情報としては、例えば、特許文献１が知られている。
【先行技術文献】
【特許文献】
【０００５】
【特許文献１】特開２００７−１６７８５４号公報
【発明の概要】
【発明が解決しようとする課題】
【０００６】
このような従来の圧電デバイスでは、低背化が難しいことが問題となっていた。
【０００７】
すなわち、上記従来の構成においては、リード線２Ａ、２Ｂが可撓性部材としての役割を果たす必要があるため、その固有周波数を調整すべく所定の長さを必要とする。その結果として、前記第１、第２のリード線２Ａ、２Ｂの他端を載置する面から前記リード線２Ａ、２Ｂに中空保持される圧電振動子１までの高さが所定の大きさを必要としてしまい、低背化が困難となってしまっていた。
【０００８】
そこで本発明は、リード線に中空保持される圧電振動子を有する圧電デバイスについて、その低背化を図ることを目的とする。
【課題を解決するための手段】
【０００９】
そして、この目的を達成するために本発明は、第１、第２の電極を有する圧電振動子と、前記第１の電極にその一端が接続され前記圧電振動子を中空保持する第１のリード線と、前記第２の電極にその一端が接続され前記圧電振動子を中空保持する第２のリード線と、前記第１、第２のリード線の他端が載置された面とを備え、前記圧電振動子における前記第１の電極の配置場所が前記第２の電極の配置場所と比較して前記第１のリード線の他端から離れており、前記圧電振動子における前記第２の電極の配置場所が前記第１の電極の配置場所と比較して前記第２のリード線の他端から離れている圧電デバイスとしたものである。
【発明の効果】
【００１０】
このような構成とすることにより、第１の電極に接続される第１のリード線の一端と、前記第１のリード線の他端との距離を確保することができるとともに、第２の電極に接続される第２のリード線の一端と、前記第２のリード線の他端との距離を確保することができる。その結果として、第１、第２のリード線の長さを確保し、可撓性部材としての役割を果たしながら低背化を図ることができるのである。
【図面の簡単な説明】
【００１１】
【図１】本発明の実施の形態１における圧電デバイスを示す側面図
【図２】本発明の実施の形態１における圧電デバイスのその他の実施例を示す側面図
【図３】本発明の実施の形態１における圧電デバイスのその他の実施例を示す側面図
【図４】従来の圧電デバイスを示す側面図
【発明を実施するための形態】
【００１２】
（実施の形態１）
以下、本発明の実施の形態１における圧電デバイスについて図面を参照しながら説明する。
【００１３】
本実施の形態における圧電デバイスは、図１に示す如く、第１の電極１１Ａと、第２の電極１１Ｂとを有する圧電振動子１１と、前記第１の電極１１Ａにその一端が接続され前記圧電振動子１１を中空保持する第１のリード線１２Ａと、前記第２の電極１１Ｂにその一端が接続され前記圧電振動子１１を中空保持する第２のリード線１２Ｂと、前記第１、第２のリード線１２Ａ、１２Ｂの他端が載置された面１３とを備えている。
【００１４】
そして、前記圧電振動子１１における前記第１の電極１１Ａの配置場所が、前記第２の電極１１Ｂの配置場所と比較して前記第１のリード線１２Ａの他端から離れており、且つ前記圧電振動子１１における前記第２の電極１１Ｂの配置場所が、前記第１の電極１１Ａの配置場所と比較して前記第２のリード線１２Ｂの他端から離れている構成としている。
【００１５】
このような構成とすることにより、低背化を図ることができるのである。以下、その理由について詳細に説明する。
【００１６】
まず、第１の電極１１Ａに接続される第１のリード線１２Ａの一端と、前記第１のリード線１２Ａの他端との距離を確保することができる。即ち、前記圧電振動子１１における前記第１の電極１１Ａの配置場所が、前記第２の電極１１Ｂの配置場所と比較して前記第１のリード線１２Ａの他端から離れた構成としているため、第１の電極１１Ａに接続される第１のリード線１２Ａの一端と、前記第１のリード線１２Ａの他端との距離を確保することができるのである。
【００１７】
同様に、前記圧電振動子１１における前記第２の電極１１Ｂの配置場所が、前記第１の電極１１Ａの配置場所と比較して前記第２のリード線１２Ｂの他端から離れた構成としているため、第２の電極１１Ａに接続される第１のリード線１２Ａの一端と、前記第１のリード線１２Ａの他端との距離を確保することができるのである。
【００１８】
その結果として、第１、第２のリード線１２Ａ、１２Ｂの長さを確保することができるため、可撓性部材としての役割を果たす上での固有周波数を得ることができる所定の長さを確保することができ、前記第１、第２のリード線１２Ａ、１２Ｂの他端を載置する面１３から前記リード線１２Ａ、１２Ｂに中空保持される圧電振動子１１までの高さを低くすることが可能となり、低背化を図ることができるのである。
【００１９】
なお、具体的な構成として、前記面１３としては、セラミックパッケージなどの外容器の底面を用いることができる。
【００２０】
また、この面１３には制御回路１４を配置することが可能であり、この制御回路１４から前記第１、第２のリード線１２Ａ、１２Ｂの少なくとも一方を介して前記圧電振動子１１に駆動信号を伝達し、前記圧電振動子１１を駆動させ、前記圧電振動子１１から出力された検出信号を前記制御回路１４により処理することにより、角速度等の物理量を検出することが可能である。
【００２１】
なお、この図２に示す如く、面１３が凹部１３Ａを有し、この凹部１３Ａ内に制御回路１４を配置する構成としても構わない。
【００２２】
また、図３に示す如く、面１３が凹部１３Ａを有し、この凹部１３Ａ内に前記圧電振動子１１、第１、第２の電極１１Ａ、１１Ｂ、第１、第２のリード線１２Ａ、１２Ｂの一端側を配置すると共に、前記第１、第２のリード線１２Ａ、１２Ｂの他端を前記凹部１３Ａ外の面１３に配置する構成としても構わない。
【産業上の利用可能性】
【００２３】
本発明の圧電デバイスは、リード線に中空保持される圧電振動子を有する構成において低背化を図ることができるという効果を有し、自動車、航空機、船舶、ロボット、その他各種電子機器等において有用である。
【符号の説明】
【００２４】
１１  圧電振動子
１１Ａ  第１の電極
１１Ｂ  第２の電極
１２Ａ  第１のリード線
１２Ｂ  第２のリード線
１３  面
【図１】
2011160387.tif 000003
【図２】
2011160387.tif 000004
【図３】
2011160387.tif 000005
【図４】
2011160387.tif 000006